(57)【要約】【課題】不正なリサイクル業者による二次電池の交換を防止することができる電池パックを提供する。【解決手段】状態変化検出部２２１は、二次電池ブロック３の電圧が所定の下限電圧以下になったことを検出し、データ書込部２２２は、記憶部２３に下限電圧履歴データを書き込み、電源回路４は制御回路２への電力供給を停止し、電池パック１の稼働を停止する。データ消去部２２５は、稼働が開始される際、記憶部２３に下限電圧履歴データが書き込まれている場合は、下限電圧履歴データを消去し、状態制御部２２３は電池パック１を使用可能状態にする。一方、データ書込部２２２は、稼働が開始される際、記憶部２３に下限電圧履歴データが書き込まれていない場合、記憶部２３に下限電圧履歴データを書き込み電池パック１を使用禁止状態にする。【選択図】図１
2007128674.tif 000002
【特許請求の範囲】
【請求項１】
二次電池を備える電池パックであって、
記憶手段と、
前記二次電池を交換するためのリサイクル作業が行われた際に生じる前記電池パックの状態の変化を検出する状態変化検出手段と、
前記状態変化検出手段により、前記電池パックの状態の変化が検出された場合、前記記憶手段に状態が変化したことを示すための履歴データを書き込むデータ書込手段と、
前記記憶手段に前記履歴データが書き込まれている場合、前記電池パックを使用禁止状態にし、前記記憶手段に前記履歴データが書き込まれていない場合、前記電池パックを使用可能状態にする状態制御手段と、
前記電池パックに接続される外部接続装置から指令信号を受け付ける受付手段と、
前記受付手段により受け付けられた指令信号を基に、前記記憶手段に書き込まれた前記履歴データを消去するデータ消去手段とを備えることを特徴とする電池パック。
【請求項２】
前記状態変化検出手段は、前記二次電池の電圧が、電池パックの通常使用時における前記二次電池の電圧範囲の下限電圧以下となったとき、前記電池パックの状態が変化したと判定し、
前記データ書込手段は、前記状態変化検出手段により、前記二次電池の電圧が前記下限電圧以下になったと判定された場合、下限電圧履歴データを前記履歴データとして前記記憶手段に書き込み、
前記データ書込手段による前記記憶手段への前記下限電圧履歴データの書き込み処理が終了したときに、稼働を停止する電源回路を更に備え、
前記受付手段は、前記電源回路の稼動が停止している状態において、外部接続装置から印加される所定レベルの電圧を前記指令信号として受け付け、
前記電源回路は、前記受付手段により受け付けられた指令信号を基に稼働を開始し、
前記データ消去手段は、前記電源回路が稼働を開始した際に、前記記憶手段に前記下限電圧履歴データが書き込まれている場合は、前記記憶手段から前記下限電圧履歴データを消去し、
前記データ書込手段は、前記電源回路が稼働を開始した際に、前記記憶手段に前記下限電圧履歴データが書き込まれていない場合は、前記記憶手段に前記下限電圧履歴データを書き込むことを特徴とする請求項１記載の電池パック。
【請求項３】
前記受付手段は、オペレータによる操作指令を更に受け付け、
前記操作指令受付手段により受け付けられた操作指令が前記記憶手段から前記下限電圧履歴データを書き込むための書込指令であるか否かを判定する操作指令判定手段を更に備え、
前記データ書込手段は、前記操作指令判定手段により、前記受付手段により受け付けられた操作指令が前記書込指令であると判定された場合、前記記憶手段に前記下限電圧履歴データを書き込むことを特徴とする請求項２記載の電池パック。
【請求項４】
前記二次電池の通電経路上に設けられた通電スイッチを更に備え、
前記状態制御手段は、前記記憶手段に前記下限電圧履歴データが書き込まれている場合、前記通電スイッチをオフにする、又は前記電源回路の稼働を停止させることにより、前記電池パックを使用禁止状態にすることを特徴とする請求項２又は３記載の電池パック。
【請求項５】
前記受付手段は、外部接続装置から印加される所定レベルの電圧を前記指令信号として受け付けると共に、オペレータから入力される操作指令を更に受け付け、
前記受付手段により所定レベルの電圧が受け付けられたとき、稼働を開始する電源回路を更に備え、
前記状態変化検出手段は、前記電源回路の稼働が開始したとき、前記電池パックの状態が変化したと判定し、
前記データ書込手段は、前記状態変化検出手段により前記電源回路の稼働が開始したと判定されたとき、前記記憶手段に開始履歴データを前記履歴データとして書き込み、
前記受付手段により受け付けられた操作指令が前記開始履歴データを消去する消去指令であるか否かを判定する操作指令判定手段を更に備え、
前記データ消去手段は、前記操作指令判定手段により前記操作指令が前記消去指令であると判定された場合、前記記憶手段から前記開始履歴データを消去することを特徴とする請求項１記載の電池パック。
【請求項６】
前記二次電池の通電経路上に設けられた通電スイッチを更に備え、
前記状態制御手段は、前記記憶手段に前記開始履歴データが書き込まれている場合、前記通電スイッチをオフにする、又は、前記電源回路の稼働を停止させることで、前記電池パックを使用禁止状態にすることを特徴とする請求項５記載の電池パック。
【請求項７】
前記状態変化検出手段は、前記電池パックが解体されたとき、前記電池パックの状態が変化したと判定し、
前記データ書込手段は、前記状態変化検出手段により前記電池パックが解体されたと判定された場合、前記記憶手段に解体履歴データを前記履歴データとして書き込み、
前記受付手段はオペレータからの操作指令を受け付け、
前記受付手段により受け付けられた操作指令が前記解体履歴データを消去する消去指令であるか否かを判定する操作指令判定手段を更に備え、
前記データ書込手段は、前記操作指令判定手段によりオペレータからの操作指令が前記消去指令であると判定された場合、前記記憶手段から前記解体履歴データを消去することを特徴とする請求項１記載の電池パック。
【請求項８】
前記電池パックを構成する種々の回路素子が実装された回路基板を更に備え、
前記回路基板と対向して配設され、前記二次電池を前記回路基板に取り付ける電池ホルダーと、
前記電池ホルダーと前記回路基板との間に配設され、前記電池ホルダーと前記回路基板との距離が所定値以下の場合にオンし、前記電池ホルダーと前記回路基板との距離が所定値より大きい場合にオフするスイッチとを更に備え、
前記状態変化検出手段は、前記スイッチがオフしたとき、前記電池パックが解体されたと判定することを特徴とする請求項７記載の電池パック。
【請求項９】
前記状態変化検出手段は、前記スイッチのオフ状態が所定時間以上継続したとき、前記電池パックが解体されたと判定することを特徴とする請求項８記載の電池パック。
【請求項１０】
前記二次電池の通電経路上に設けられた通電スイッチを更に備え、
前記状態制御手段は、前記記憶手段に前記解体履歴データが書き込まれている場合、前記通電スイッチをオフにする、又は前記電池パックが備える電源回路の稼働を停止させることで、前記電池パックを使用禁止状態にすることを特徴とする請求項７〜９のいずれかに記載の電池パック。
【発明の詳細な説明】
【技術分野】
【０００１】
本発明は、二次電池を備える電池パックに関するものである。
【背景技術】
【０００２】
近年、ノートパソコンや携帯電話等の電器機器において広く使用されている電池パックは、二次電池の状態を監視し、二次電池を過充電や過放電等から保護する制御回路を備えている。ここで、電池パックは二次電池が寿命に到達すると使用することができなくなるが、制御回路は寿命に到達していないケースが多い。そこで、特許文献１では、使用済みの電池パックが備える回路保護基板の電池保護機能の良否を判定し、保護回路基板が電池保護機能を保持している場合は、この保護回路基板に対して新たな二次電池を取り付け、電池パックをリサイクルする電池の製造方法が開示されている。
【特許文献１】特開２００３−９２１５２号公報
【発明の開示】
【発明が解決しようとする課題】
【０００３】
しかしながら、電池パックの製造元に許可無く二次電池を交換する不正なリサイクル業者も多く存在し、このような業者によって電池パックが交換されると、粗悪な二次電池が取り付けられる可能性が高く、粗悪な電池パックが市場に流通するといった問題が発生する。また、このような、粗悪な電池パックが市場に流出すると、電池パックの製造元は、多大な損害を被ってしまう。
【０００４】
本発明の目的は、不正なリサイクル業者による二次電池の交換を防止することができる電池パックを提供することである。
【課題を解決するための手段】
【０００５】
本発明による電池パックは、二次電池を備える電池パックであって、記憶手段と、前記二次電池を交換するためのリサイクル作業が行われた際に生じる前記電池パックの状態の変化を検出する状態変化検出手段と、前記状態変化検出手段により、前記電池パックの状態の変化が検出された場合、前記記憶手段に状態が変化したことを示すための履歴データを書き込むデータ書込手段と、前記記憶手段に前記履歴データが書き込まれている場合、前記電池パックを使用禁止状態にし、前記記憶手段に前記履歴データが書き込まれていない場合、前記電池パックを使用可能状態にする状態制御手段と、前記電池パックに接続される外部接続装置から指令信号を受け付ける受付手段と、前記受付手段により受け付けられた指令信号を基に、前記記憶手段に書き込まれた前記履歴データを消去するデータ消去手段とを備えることを特徴とする。
【０００６】
この構成によれば、状態変化検出手段は、電池パックから二次電池を交換するためのリサイクル作業に起因して生じる電池パックの状態の変化を検出する。データ書込手段は、電池パックの状態が変化したとき、記憶手段に履歴データを書き込む。状態制御手段は、記憶手段に履歴データが書き込まれている場合、電池パックを使用禁止状態にし、記憶手段に履歴データが書き込まれていない場合、電池パックを使用可能状態にする。
【０００７】
ここで、正規のリサイクル業者のみに指令信号を教えておけば、正規のリサイクル業者は、この指令信号を入力することで、二次電池の交換時に記憶手段に書き込まれた履歴データを消去して、電池パックを出荷することができる。従って、この電池パックは、使用可能状態となる。
【０００８】
一方、不正なリサイクル業者は、指令信号を入力することができないため、二次電池の交換時に記憶手段に書き込まれた履歴データを消去することができない。そのため、不正なリサイクル業者によって二次電池が交換された電池パックは、使用禁止状態で出荷される。その結果、不正なリサイクル業者による二次電池の交換を防止することができる。
【０００９】
また、上記構成において、前記状態変化検出手段は、前記二次電池の電圧が、電池パックの通常使用時における前記二次電池の電圧範囲の下限電圧以下となったとき、前記電池パックの状態が変化したと判定し、前記データ書込手段は、前記状態変化検出手段により、前記二次電池の電圧が前記下限電圧以下になったと判定された場合、下限電圧履歴データを前記履歴データとして前記記憶手段に書き込み、前記データ書込手段による前記記憶手段への前記下限電圧履歴データの書き込み処理が終了したときに、稼働を停止する電源回路を更に備え、前記受付手段は、前記電源回路の稼動が停止している状態において、外部接続装置から印加される所定レベルの電圧を前記指令信号として受け付け、前記電源回路は、前記受付手段により受け付けられた指令信号を基に稼働を開始し、前記データ消去手段は、前記電源回路が稼働を開始した際に、前記記憶手段に前記下限電圧履歴データが書き込まれている場合は、前記記憶手段から前記下限電圧履歴データを消去し、前記データ書込手段は、前記電源回路が稼働を開始した際に、前記記憶手段に前記下限電圧履歴データが書き込まれていない場合は、前記記憶手段に前記下限電圧履歴データを書き込むことが好ましい。
【００１０】
この構成によれば、状態変化検出手段が二次電池の電圧が電池パックの通常使用状態の二次電池の電圧範囲の下限電圧以下になったことを検出した場合、データ書込手段は、下限電圧履歴データを記憶手段に書き込む。データ書込手段による記憶手段への下限電圧履歴データの書き込みが終了すると、稼動停止手段は、電池パックの稼動を停止する。
【００１１】
ここで、正規のリサイクル業者には、二次電池の電圧を下限電圧以下にさせ、記憶手段に下限電圧履歴データを書き込ませてから、二次電池を交換させるようにする。なお、下限電圧は、一般ユーザが電池パックの充電を数ヶ月の間、全く行わない場合に到達するような電圧であり、一般ユーザが電池パックを普通に使用している場合は到達しない電圧である。一方、不正なリサイクル業者には、二次電池の電圧を下限電圧以下にすることを教えないでおく。電池パックは満充電に近い状態でリサイクル業者に持ち込まれるケースが多い。そのため、不正なリサイクル業者は、二次電池の電圧が下限電圧以下になる前に二次電池を交換する結果、記憶手段には下限電圧履歴データが書き込まれない。
【００１２】
そして、受付手段により外部接続装置から所定レベルの電圧が印加されたことが受け付けられると、電源回路は稼動を開始する。ここで、正規のリサイクル業者により二次電池が交換された電池パックは記憶手段に下限電圧履歴データが書き込まれているため、データ消去手段は、この下限電圧履歴データを消去し、状態制御手段は電池パックを使用可能状態にする。
【００１３】
一方、不正なリサイクル業者により二次電池が交換された電池パックは、受付手段により外部接続装置からの所定レベルの電圧が受け付けられ、電源回路が稼動を開始したとき、記憶手段に下限電圧履歴データが書き込まれていないため、データ書込手段は、記憶手段に下限電圧履歴データを書き込み、状態制御手段は電池パックを使用禁止状態にする。そのため、不正なリサイクル業者による二次電池の交換を防止することができる。
【００１４】
また、上記構成において、前記受付手段は、オペレータによる操作指令を更に受け付け、前記操作指令受付手段により受け付けられた操作指令が前記記憶手段から前記下限電圧履歴データを書き込むための書込指令であるか否かを判定する操作指令判定手段を更に備え、前記データ書込手段は、前記操作指令判定手段により、前記受付手段により受け付けられた操作指令が前記書込指令であると判定された場合、前記記憶手段に前記下限電圧履歴データを書き込むことが好ましい。
【００１５】
この構成によれば、正規のリサイクル業者は、二次電池の電圧が下限電圧以下になる前に二次電池を交換した場合であっても、下限電圧履歴データを記憶手段に書き込ませることができるため、リサイクル作業の簡素化を図ることができる。
【００１６】
また、上記構成において、前記二次電池の通電経路上に設けられた通電スイッチを更に備え、前記状態制御手段は、前記記憶手段に前記下限電圧履歴データが書き込まれている場合、前記通電スイッチをオフにする、又は前記電源回路の稼働を停止させることにより、前記電池パックを使用禁止状態にすることが好ましい。
【００１７】
この構成によれば、通電スイッチをオフにする、または電源回路の稼働を停止させることにより、電池パックが使用禁止状態にされるため、電池パックを確実に使用禁止状態にすることができる。
【００１８】
また、上記構成において、前記受付手段は、外部接続装置から印加される所定レベルの電圧を前記指令信号として受け付けると共に、オペレータから入力される操作指令を更に受け付け、前記受付手段により所定レベルの電圧が受け付けられたとき、稼働を開始する電源回路を更に備え、前記状態変化検出手段は、前記電源回路の稼働が開始したとき、前記電池パックの状態が変化したと判定し、前記データ書込手段は、前記状態変化検出手段により前記電源回路の稼働が開始したと判定されたとき、前記記憶手段に開始履歴データを前記履歴データとして書き込み、前記受付手段により受け付けられた操作指令が前記開始履歴データを消去する消去指令であるか否かを判定する操作指令判定手段を更に備え、前記データ消去手段は、前記操作指令判定手段により前記操作指令が前記消去指令であると判定された場合、前記記憶手段から前記開始履歴データを消去することが好ましい。
【００１９】
この構成によれば、電源回路の稼働が停止している状態において受付手段が外部接続装置から印加される所定レベルの電圧を受け付けると、電源回路は稼働を開始し、状態変化検出手段は、電源回路の稼働の開始を電池パックの状態の変化として検出し、データ書込手段は開始履歴データを記憶手段に書き込む。
【００２０】
また、受付手段はオペレータからの操作指令も受け付ける。操作指令受付手段がこの操作指令が開始履歴データを消去するための操作指令であると判定した場合、データ消去手段は、開始履歴データを消去する。
【００２１】
ここで、正規のリサイクル業者のみに開始履歴データを消去する消去指令を教えておけば、正規のリサイクル業者は、二次電池を交換した電池パックの稼働を開始した時に、記憶手段に書き込まれた開始履歴データを消去することができる。従って、この電池パックは使用可能状態となる。
【００２２】
一方、不正なリサイクル業者は、開始履歴データを消去する消去指令を知らないため、二次電池を交換した電池パックが稼働を開始した時に、記憶手段に書き込まれた開始履歴データを消去することができない。従って、この電池パックは使用禁止状態になる。そのため、不正なリサイクル業者による二次電池の交換を防止することができる。なお、電源回路は、稼働状態で出荷されることが一般的である。また、電源回路は一旦稼働が開始されると、全く使用されない状況が長期間継続しない限り、稼働が停止されない。そのため、一般ユーザの手元に渡った電池パックの記憶手段に開始履歴データが書き込まれ、電池パックが使用禁止状態になるケースは稀にしか生じない。
【００２３】
また、上記構成において、前記二次電池の通電経路上に設けられた通電スイッチを更に備え、前記状態制御手段は、前記記憶手段に前記開始履歴データが書き込まれている場合、前記通電スイッチをオフにする、又は、前記電源回路の稼働を停止させることで、前記電池パックを使用禁止状態にすることが好ましい。
【００２４】
この構成によれば、通電スイッチをオフにする、または電源回路の稼動を停止させることにより、電池パックが使用禁止状態にされるため、電池パックを確実に使用禁止状態にすることができる。
【００２５】
また、上記構成において、前記状態変化検出手段は、前記電池パックが解体されたとき、前記電池パックの状態が変化したと判定し、前記データ書込手段は、前記状態変化検出手段により前記電池パックが解体されたと判定された場合、前記記憶手段に解体履歴データを前記履歴データとして書き込み、前記受付手段はオペレータからの操作指令を受け付け、前記受付手段により受け付けられた操作指令が前記解体履歴データを消去する消去指令であるか否かを判定する操作指令判定手段を更に備え、前記データ書込手段は、前記操作指令判定手段によりオペレータからの操作指令が前記消去指令であると判定された場合、前記記憶手段から前記解体履歴データを消去することが好ましい。
【００２６】
この構成によれば、状態変化検出手段により電池パックが解体されたと判定されたとき、データ書込手段は、解体履歴データを記憶手段に書き込む。ここで、正規のリサイクル業者のみに解体履歴データを消去する消去指令を教えておけば、正規のリサイクル業者は、リサイクル作業において、二次電池を交換した電池パックを起動したときに、記憶手段に書き込まれた解体履歴データを消去することができる。従って、この電池パックは使用可能状態となる。
【００２７】
一方、不正なリサイクル業者は、消去指令を知らないため、二次電池を交換した電池パックを起動したときに、記憶手段に書き込まれた解体履歴データを消去することができない。従って、この電池パックは、を使用禁止状態となる。そのため、不正なリサイクル業者による二次電池の交換を防止することができる。
【００２８】
また、前記電池パックを構成する種々の回路素子が実装された回路基板を更に備え、前記回路基板と対向して配設され、前記二次電池を前記回路基板に取り付ける電池ホルダーと、前記電池ホルダーと前記回路基板との間に配設され、前記電池ホルダーと前記回路基板との距離が所定値以下の場合にオンし、前記電池ホルダーと前記回路基板との距離が所定値より大きい場合にオフするスイッチとを更に備え、前記状態変化検出手段は、前記スイッチがオフしたとき、前記電池パックが解体されたと判定することが好ましい。
【００２９】
この構成によれば、スイッチは、二次電池を覆う電池ホルダーと電池ホルダーに対面する回路基板との間に取り付けられ、二次電池が回路基板から取り外されたとき、スイッチと電池ホルダーとの距離が一定以上離れ、スイッチがオフされて、状態変化検出手段は電池パックが解体されたと判定するため、二次電池が取り外されたか否かを正確に判定することができる。
【００３０】
また、上記構成において、前記データ書込手段は、前記スイッチのオフ状態が所定時間以上継続したとき、前記記憶手段に前記解体履歴データを書き込むことが好ましい。
【００３１】
この構成によれば、振動等によって一瞬だけスイッチがオフ状態となっても、二次電池は取り外されていないと判定されるため、二次電池が取り外されたか否かをより正確に判定することができる。
【００３２】
また、上記構成において、前記二次電池の通電経路上に設けられた通電スイッチを更に備え、前記状態制御手段は、前記記憶手段に前記解体履歴データが書き込まれている場合、前記通電スイッチをオフにする、又は前記電池パックが備える電源回路の稼働を停止させることで、前記電池パックを使用禁止状態にすることが好ましい。
【００３３】
この構成によれば、通電スイッチをオフにする、または稼動停止手段により電池パックの稼動を停止させることにより、電池パックが使用禁止状態にされるため、電池パックを確実に使用禁止状態にすることができる。
【発明の効果】
【００３４】
本発明による電池パックによれば、不正なリサイクル業者による二次電池の交換を防止することができる。
【発明を実施するための最良の形態】
【００３５】
（実施の形態１）
図１は本発明の実施の形態１による電池パック１の構成を示したブロック図である。電池パック１は、制御回路２、二次電池ブロック３、電源回路４、端子Ｔ１，Ｔ２、及び通信端子Ｔ５、ダイオードＤ１，Ｄ２を備えている。端子Ｔ１，Ｔ２及び通信端子Ｔ５の各々には、端子Ｔ３，Ｔ４及び通信端子Ｔ６が接続され、これにより外部接続装置１００及び電池パック１が電気的に接続される。
【００３６】
端子Ｔ１，Ｔ２は充放電端子であり、通信端子Ｔ５は、外部接続装置１００と種々のデータを送受信するための端子である。ダイオードＤ１はアノードが通電スイッチ２１に接続され、カソードが電源回路４に接続されている。ダイオードＤ２は、アノードが端子Ｔ１に接続され、カソードが電源回路４に接続されている。
【００３７】
二次電池ブロック３は、直列接続された３個の電池セル３１〜３３を備える。電池セル３１〜３３は、各々、リチウムイオン二次電池、燃料電池、ニッケルカドミウム二次電池等の二次電池から構成される。なお、二次電池ブロック３を構成する電池セルの個数は、３個に限定されず、４個以上の電池セルから構成してもよいし、２個の電池セルから構成してもよい。
【００３８】
制御回路２は、通電スイッチ２１、演算部２２、記憶部２３、電圧検出部２４、電流検出部２５、及び通信部２６を備えている。通電スイッチ２１は、ＦＥＴ等の可逆式のスイッチ又は温度ヒューズ等の非可逆式のスイッチから構成され、演算部２２の制御の下、オン又はオフし、オフ状態において二次電池ブロック３及び端子Ｔ１間を開放し、オン状態において二次電池ブロック３及び端子Ｔ１間を電気的に接続する。
【００３９】
電圧検出部２４は、Ａ／Ｄ変換器等から構成され、電池セル３１〜３３の各々の端子間の電圧を検出し、デジタルの検出データに変換して演算部２２に出力する。電流検出部２５は、電流センサから構成され、二次電池ブロック３の負極及び端子Ｔ２間に接続され、二次電池ブロック３に通電される充電電流、或いは放電電流を検出し、検出データを演算部２２に出力する。
【００４０】
演算部２２は、種々の処理を実行するＣＰＵ（中央演算処理装置）及びＣＰＵの作業領域として用いられるＲＡＭ（ランダムアクセスメモリ）等から構成され、記憶部２３に記憶された制御プログラムを実行することで電池パック１を制御する。ここで、演算部２２は、電圧検出部２４により検出された二次電池ブロック３の電圧と電流検出部２５により検出された電流とを用いて二次電池ブロック３の残容量を算出する機能、並びに二次電池ブロック３を過充電、過放電、及び過電流から保護する機能を備える。
【００４１】
特に本実施の形態では、演算部２２は、状態変化検出部２２１、データ書込部２２２、状態制御部２２３、操作指令判定部２２４、及びデータ消去部２２５の機能を備えている。これらの機能は、演算部２２が記憶部２３に書き込まれた制御プログラムを実行することで実現される。
【００４２】
状態変化検出部２２１は、電圧検出部２４から出力された検出データを用いて、二次電池ブロック３を構成する少なくとも１つの電池セルの電圧が予め定められた下限電圧以下になったことを、電池パック１の状態の変化として検出する。ここで、下限電圧は、ユーザが電池パックの充電を数ヶ月間、全く行わない場合に到達する電圧であり、一般ユーザが電池パックを普通に使用している場合は到達しない電圧である。
【００４３】
データ書込部２２２は、状態変化検出部２２１が少なくとも１つの電池セルの電圧が下限電圧以下になったことを検出したとき、下限電圧履歴データを記憶部２３に書き込み、書き込み処理が終了したとき、電源回路４に電池パックの稼働を停止させる信号を出力する。
【００４４】
また、データ書込部２２２は、電池パック１の稼働が開始されたとき、記憶部２３に下限電圧履歴データが書き込まれていない場合は、記憶部２３に下限電圧履歴データを書き込む。
【００４５】
更に、データ書込部２２２は、操作指令判定部２２４により、外部接続装置１００を用いて入力された操作指令が記憶部２３に下限電圧履歴データを書き込むための書込指令であると判定された場合、記憶部２３に下限電圧履歴データを書き込む。
【００４６】
状態制御部２２３は、記憶部２３に下限電圧履歴データが書き込まれている場合、通電スイッチ２１をオフさせる、又は電源回路４に電池パック１の稼働を停止させ、電池パック１を使用禁止状態にする。また、状態制御部２２３は、記憶部２３に下限電圧履歴データが書き込まれていない場合、通電スイッチ２１をオンさせ、電池パック１を使用可能状態にする。
【００４７】
操作指令判定部２２４は、外部接続装置１００を用いてオペレータにより入力された操作指令を通信部２６が受信したとき、受信した操作指令が下限電圧履歴データを消去するための消去指令であるか否か、又は下限電圧履歴データを書き込むための書込指令であるか否かを判定する。
【００４８】
データ消去部２２５は、電源回路１の稼働が開始されたとき、記憶部２３に下限電圧履歴データが書き込まれている場合は、記憶部２３から下限電圧履歴データを消去する。また、データ消去部２２５は、操作指令判定部２２４により、外部接続装置１００を用いて入力された操作指令が下限電圧履歴データを消去するための消去指令であると判定されたとき、記憶部２３から下限電圧履歴データを消去する。
【００４９】
通信部２６は、通信端子Ｔ５を介して外部接続装置１００から種々のデータを受信すると共に、外部接続装置１００に対して種々のデータを送信する。具体的には、通信部２６は、演算部２２が算出した二次電池ブロック３の残容量を示すデータを送信したり、外部接続装置１００からオペレータが入力した操作指令を受信したりする。
【００５０】
記憶部２３は、ＥＰＲＯＭ等の書き換え可能な不揮発性の記憶装置から構成され、電池パック１を制御するための制御プログラムを記憶すると共に、データ書込部２２２によって書き込まれた下限電圧履歴データ等を記憶する。
【００５１】
電源回路４は、二次電池ブロック３又は外部接続装置１００からの電力を安定化させて、制御回路２に供給し、電池パック１を稼働させる。ここで、電源回路４は、状態変化検出部２２１が少なくとも１つの電池セルの電圧が下限電圧以下になったことを検出して、データ書込部２２２が記憶部２３に下限電圧履歴データを書き込んだとき、稼働を停止し、演算部２２に対して供給される電力を遮断する。一方、電源回路４は稼働を停止しているときに、外部接続装置１００が接続され、端子Ｔ１，Ｔ２に所定レベルの電圧が印加されたとき、稼働を開始し制御回路２に対して電力供給を開始する。なお、電源回路４は、二次電池ブロック３が取り外されて、電源回路４への電力供給が停止されたときも稼働を停止し、制御回路２への電力供給を停止する。
【００５２】
ここで、電池パック１は、電源回路４が稼働した状態で出荷されることが一般的であり、また、一般ユーザも、少なくとも１つの電池セルが下限電圧以下になるまで電池パック１を使用することは稀であるため、一般ユーザが所持している電池パック１の電源回路４の稼働の停止は稀にしか起こらない。
【００５３】
外部接続装置１００は、二次電池ブロック３を充電する充電装置、或いは負荷装置から構成される。また、外部接続装置１００は通信機能を備え、通信端子Ｔ６を介して電池パック１に対して種々のデータを送信したり、電池パック１から種々のデータを受信したりする。負荷装置としては、ノート型のパーソナルコンピュータ、携帯電話、ＰＤＡ、電動工具等の装置を採用することができる。
【００５４】
更に、外部接続装置１００は、制御部１０１、通電スイッチ１０２、及び入力部１０３を備えている。制御部１０１は、外部接続装置１００全体の制御を司る。通電スイッチ１０２は、ＦＥＴ等の可逆式のスイッチ又は温度ヒューズ等の非可逆式のスイッチから構成され、制御部１０１の制御の下、オン又はオフする。入力部１０３は、記憶部２３に下限電圧履歴データを書き込むためのオペレータからの書込指令又は消去するためのオペレータからの消去指令を受け付ける。
【００５５】
なお、本実施の形態では、端子Ｔ１，Ｔ２、通信端子Ｔ５、及び通信部２６が受付手段の一例に相当する。
【００５６】
次に、実施の形態１の電池パック１による下限電圧履歴データの書き込み処理について図２のフローチャートを用いて説明する。まず、ステップＳ１において、状態変化検出部２２１が二次電池ブロック３を構成する少なくとも１つの電池セルの電圧が所定の下限電圧以下になったことを検出した場合（Ｓ１でＹＥＳ）、データ書込部２２２は、記憶部２３に下限電圧履歴データを書き込む（Ｓ２）。一方、ステップＳ１において、状態変化検出部２２１が、二次電池ブロック３を構成する少なくとも１つの電池セルの電圧が下限電圧以下になったことを検出しない場合（Ｓ１でＮＯ）、処理をステップＳ１に戻す。
【００５７】
ステップＳ３において、データ書込部２２２は、電源回路４に対して電池パック１の稼働の停止を指示する信号を出力し、電源回路４は稼働を停止して、制御回路２への電力供給を停止する。
【００５８】
次に、図３のフローチャートに従って、電源回路４の稼働開始時の処理について説明する。なお、このフローチャートの処理が実行される前に電源回路４は稼働を停止していたものとする。まず、ステップＳ１１において、端子Ｔ１，Ｔ２及び通信端子Ｔ５に外部接続装置１００が接続され、電源回路４に所定レベル以上の電圧が印加されると、電源回路４は稼働を開始して制御回路２への電力供給を開始する。
【００５９】
ステップＳ１２において、データ書込部２２２又はデータ消去部２２５は記憶部２３に下限電圧履歴データが記憶されているか否かを判定する。ステップＳ１３において、記憶部２３に下限電圧履歴データが記憶されている場合（Ｓ１３でＹＥＳ）、データ消去部２２５は、二次電池ブロック３を使用可能状態にするために、記憶部２３に記憶されている下限電圧履歴データを消去する（Ｓ１５）。
【００６０】
ステップＳ１６において、状態制御部２２３は、記憶部２３に下限電圧履歴データが書き込まれていないため、通電スイッチ２１をオンして電池パック１を使用可能状態にする。ここで、状態制御部２２３は、例えば記憶部２３に下限電圧履歴データが書き込まれているか否かの判定を一定時間毎に行う。
【００６１】
ステップＳ１３において、記憶部２３に下限電圧履歴データが記憶されていない場合（Ｓ１３でＮＯ）、データ書込部２２２は、記憶部２３に下限電圧履歴データを書き込む（Ｓ１４）。ステップＳ１７において、状態制御部２２３は、記憶部２３に下限電圧履歴データが書き込まれているため、通電スイッチ２１をオフして電池パック１を使用禁状態にする。ここで、状態制御部２２３は、電源回路４に電池パック１の稼働を停止させることで、電池パック１を使用禁止状態にしてもよい。
【００６２】
以上説明したように実施の形態１の電池パック１によれば、二次電池ブロック３を構成する電池セル３１〜３３のうち、いずれかの電池セルの電圧が下限電圧以下となり電池パック１の稼働が停止される際、データ書込部２２２は記憶部２３に下限電圧履歴データを書き込む。
【００６３】
そのため、電池セル３１〜３３のいずれかの電圧が下限電圧以下となる前に電池パック１から二次電池ブロック３が取り外された場合は、記憶部２３には下限電圧履歴データが書き込まれることなく電源回路４は稼働を停止する。また、電源回路４の稼働が開始されるとき、記憶部２３に下限電圧履歴データが書き込まれていない場合は、データ書込部２２２は、記憶部２３に下限電圧履歴データを書き込み、二次電池ブロック３を使用禁止状態にする。一方、電源回路４の稼働が開始されるとき、記憶部２３に下限電圧履歴データが書き込まれている場合は、データ消去部２２５は記憶部２３から下限電圧履歴データを消去して、電池パック１を使用可能状態にする。
【００６４】
ここで、電池パックの製造元から許可を受けた正規のリサイクル業者に対しては電池セル３１〜３３のいずれかの電圧を下限電圧以下にしてから、二次電池ブロック３を交換させるようにすれば、稼働停止時に記憶部２３に下限電圧履歴データが書き込まれるため、稼働開始時に記憶部２３から下限電圧履歴データが消去され、電池パック１は使用可能状態にされる。
【００６５】
一方、電池パック１の製造元から無許可で二次電池ブロック３を交換する不正なリサイクル業者は、電池セル３１〜３３のうち、いずれかの電池セルの電圧を下限電圧以下にしてから、二次電池ブロック３を交換させることを知らせないでおく。そのため、不正なリサイクル業者が二次電池ブロック３を交換した場合、電池パック１は満充電に近い状態でリサイクル業者に持ち込まれるケースが多いことから、この電池パック１は記憶部２３に下限電圧履歴データが書き込まれずに稼働が停止される。
【００６６】
そのため、電源回路４の稼働が開始したときに記憶部２３に下限電圧履歴データが書き込まれるため、電池パック１は使用禁止状態にされる。これにより、不正なリサイクル業者による電池パック１のリサイクルを防止することができる。
【００６７】
なお、新品の電池パック１は、下限電圧履歴データが書き込まれていないため、使用禁止状態となっているが、これを防止するために、新品の電池パック１を出荷する前に、この電池パック１に外部接続装置１００を接続し、外部接続装置１００から書込指令を入力して、記憶部２３に下限電圧履歴データを書き込ませ、電源回路４の稼働を開始させてから新品の電池パック１を出荷すればよい。
【００６８】
また、実施の形態１では、電池パック１が下限電圧履歴データの有無を判定していたが、外部接続装置１００が下限電圧履歴データの有無を判定してもよい。図４は、外部接続装置１００が使用禁止状態にするか否かを判定する場合の処理を示すフローチャートである。なお、本フローチャートが開始される前、通電スイッチ１０２はオフされているものとする。
【００６９】
ステップＳ２１において、通信部２６は、通信端子Ｔ５の電圧の変化を検出することで電池パック１に外部接続装置１００が接続されているか否かを判定する。
【００７０】
ステップＳ２１において、通信部２６は、電池パック１に外部接続装置１００が接続されていると判定した場合（Ｓ２１でＹＥＳ）、ステップＳ２２において、状態制御部２２３は、記憶部２３に下限電圧履歴データが書き込まれているか否かを判定する。ステップＳ２２において、状態制御部２２３は、記憶部２３に下限電圧履歴データが書き込まれている場合（Ｓ２２でＹＥＳ）、記憶部２３から下限電圧履歴データを読み出し、通信部２６に出力し、通信部２６は、下限電圧履歴データを外部接続装置１００に送信する（Ｓ２３）。
【００７１】
一方、外部接続装置１００が接続されていない場合（Ｓ２１でＮＯ）、又は、記憶部２３に下限電圧履歴データが書き込まれていない場合（Ｓ２２でＮＯ）、処理が終了される。ステップＳ３１において、外部接続装置１００の制御部１０１は、下限電圧履歴データを受信した場合（Ｓ３１でＹＥＳ）、通電スイッチ１０２をオンする。
【００７２】
一方、制御部１０１は、履歴データを受信しなかった場合（Ｓ３１でＮＯ）、通電スイッチ１０２を継続してオフする（Ｓ３３）。
【００７３】
このように外部接続装置１００に充放電制御を行なわせれば、電池パック１の構成を簡素化することが可能となる。
【００７４】
（実施の形態２）
次に実施の形態２による電池パック１ａについて説明する。実施の形態２による電池パック１ａは、稼働停止時に下限電圧履歴データを書き込む代わりに、稼働開始時に開始履歴データを書き込むことを特徴とする。図５は、実施の形態２による電池パック１ａのブロック図を示している。なお、実施の形態２の電池パック１ａにおいて実施の形態１と同一のものは同一の符号を付し説明を省略する。
【００７５】
状態変化検出部２２１ａは、外部接続装置１００が接続され、端子Ｔ１，Ｔ２に所定の電圧が印加され、電源回路４が稼働を開始し、制御回路２に電力供給を開始したとき、電池パック１ａの状態が変化したと判定する。
【００７６】
データ書込部２２２ａは、状態変化検出部２２１ａにより電源回路４の稼働開始が検出されたとき、記憶部２３に稼働が開始したことを示す開始履歴データを書き込む。
【００７７】
データ消去部２２５ａは、操作指令判定部２２４ａによりオペレータからの操作指令が開始履歴データを消去するための消去指令であると判定されたとき、記憶部２３から開始履歴データを消去する。
【００７８】
操作指令判定部２２４ａは、外部接続装置１００を用いてオペレータにより入力された操作指令を通信部２６が受信したとき、受信した操作指令が開始履歴データを消去するための消去指令であるか否かを判定する。
【００７９】
次に、実施の形態２による電池パック１ａの動作について説明する。図６は、電池パック１ａの起動時の処理を示したフローチャートである。なお、このフローチャートの処理が実行される前に電池パック１は稼働が停止されていたものとする。
【００８０】
まず、ステップＳ４１において、状態変化検出部２２１ａは、端子Ｔ１，Ｔ２及び通信端子Ｔ５に外部接続装置１００が接続され、電源回路４により制御回路２に電力供給が開始されたことを検出する。
【００８１】
ステップＳ４２において、データ書込部２２２ａは、記憶部２３に開始履歴データを書き込む。ステップＳ４３において、データ消去部２２５ａは、操作指令判定部２２４ａにより外部接続装置２００から送信された操作指令が開始履歴データを消去するための消去指令であると判定されると（Ｓ４３でＹＥＳ）、記憶部２３から開始履歴データを消去する。一方、ステップＳ４３において、データ消去部２２５ａは、通信部２６が外部接続装置１００からの開始履歴データの消去指令を受信しない場合（Ｓ４３でＮＯ）、処理を終了させる。
【００８２】
図７は、電源回路４の稼働開始時の処理を示したフローチャートである。まず、ステップＳ５１において、状態制御部２２３は、記憶部２３に開始履歴データが書き込まれているか否かを判定し、開始履歴データが書き込まれている場合は（Ｓ５１でＹＥＳ）、通電スイッチ２１をオフにして、電池パック１ａを使用禁止状態にする（Ｓ５２）。
【００８３】
一方、ステップＳ５１において、状態制御部２２３は、記憶部２３に開始履歴データが書き込まれていない場合（Ｓ５１でＮＯ）、通電スイッチ２１をオンし、電池パック１ａを使用可能状態にする（Ｓ５３）。
【００８４】
以上、説明したように、実施の形態２による電池パック１ａによれば、電池パック１ａのリサイクル工程において、二次電池ブロック３が交換され、電池パック１ａの稼働が開始されたとき、記憶部２３に開始履歴データが書き込まれる。そして、状態制御部２２３は開始履歴データが記憶部２３に書き込まれている場合は、電池パック１ａを使用禁止状態にし、開始履歴データが記憶部２３に書き込まれていない場合は、電池パック１ａを使用可能状態にする。
【００８５】
ここで、電池パック１ａの製造元は、正規のリサイクル業者のみに開始履歴データの消去指令を教えるようにする。これにより、正規のリサイクル業者は、リサイクル工程において、二次電池ブロック３を交換して電源回路４の稼働を開始させたときに記憶部２３に書き込まれた開始履歴データを消去して、電池パック１ａを出荷することができる。
【００８６】
一方、不正なリサイクル業者は、上記消去指令を知らないため、リサイクル工程において、電源回路４の稼働を開始させたときに記憶部２３に書き込まれた開始履歴データを消去して電池パック１ａを出荷することができない。そのため、不正なリサイクル業者による二次電池ブロック３の交換を防止することができる。
【００８７】
なお、上記実施形態では、電池パック１ａが開始履歴データの有無を判定していたが、外部接続装置１００が開始履歴データの有無を判定してもよい。図８は、外部接続装置１００が使用禁止状態にするか否かを判定する場合の処理を示すフローチャートである。なお、このフローチャートが開始される前、外部接続装置１００の制御部１０１は、通電スイッチ１０２をオンしているものとする。まず、ステップＳ６１において、通信部２６は、通信端子Ｔ５の電圧の変化を検出することで電池パック１ａに外部接続装置１００が接続されているか否かを判定する。
【００８８】
ステップＳ６１において、通信部２６は、電池パック１ａに外部接続装置１００が接続されていると判定した場合（Ｓ６１でＹＥＳ）、データ書込部２２２ａは、記憶部２３に開始履歴データが書き込まれているか否かを判定する。ステップＳ６２において、データ書込部２２２ａは記憶部２３に開始履歴データが書き込まれていると判定した場合（Ｓ６２でＹＥＳ）、記憶部２３から開始履歴データを読み出し、通信部２６に出力し、通信部２６は開始履歴データを外部接続装置１００に送信する（Ｓ６３）。
【００８９】
一方、ステップＳ６１において、通信部２６は外部接続装置１００が接続されていないと判定した場合（Ｓ６１でＮＯ）、処理をステップＳ６１に戻す。また、データ書込部２２２ａは、記憶部２３に開始履歴データが書き込まれていないと判定した場合（Ｓ６２でＮＯ）、処理を終了する。
【００９０】
ステップＳ７１において、外部接続装置１００の制御部１０１は、開始履歴データを受信した場合（Ｓ７１でＹＥＳ）、通電スイッチ１０２をオフする。（Ｓ７３）。一方、制御部１０１は、開始履歴データを受信しなかった場合（Ｓ７１でＮＯ）、通電スイッチ１０２を継続してオンさせる（Ｓ７２）。
【００９１】
このように外部接続装置１００に充放電制御を行なわせた場合、電池パック１ａの簡素化を図ることができる。
【００９２】
（実施の形態３）
次に、実施の形態３による電池バック１ｂについて説明する。図９は、実施の形態３による電池パック１ｂのブロック図を示している。実施の形態３による電池パック１ｂは、スイッチ２７を備えていることを特徴としている。なお、図９に示す電池パック１ｂにおいて、実施の形態１の電池パック１と同一のものは同一の符号を付して説明を省略する。
【００９３】
状態変化検出部２２１ｂは、スイッチ２７が所定時間以上連続してオフされている場合、電池パック１ｂが解体されたと判定する。スイッチ２７は、オンしている場合、電気信号を演算部２２に出力し、オフしている場合、電気信号を演算部２２に出力しないことで、オンされているかオフされているかを状態変化検出部２２１ｂに通知する。
【００９４】
データ書込部２２２ｂは、状態変化検出部２２１ｂにより、電池パック１ｂが解体されたと判定された場合、解体されたことを示す解体履歴データを記憶部２３に書き込む。データ消去部２２５ｂは、操作指令判定部２２４ｂによりオペレータからの操作指令が解体履歴データを消去するための消去指令であると判定されたとき、記憶部２３から解体履歴データを消去する。
【００９５】
操作指令判定部２２４ｂは、通信部２６により受信された操作指令が解体履歴データを消去するための消去指令であるか否かを判定する。
【００９６】
図１０は、制御回路２の回路基板に配設されたスイッチ２７を示した図面であり、（ａ）はスイッチ２７がオンされているときを示し、（ｂ）はスイッチ２７がオフされているときを示している。スイッチ２７は、制御回路２が実装された回路基板２Ｘの上面側に配設されたベース部２７１と、ベース部２７１に上下方向にスライド可能に配設された可動部２７２とを備えている。
【００９７】
ベース部２７１は、直方体形状を有しており、上面の一部が長方形状に開口されている。可動部２７２は、直方体形状を有し、下面側の一部がベース部２７１の開口に埋没するように配設されている。可動部２７２の底面とベース部２７１の底面との間にはバネ２７３が取り付けられ、可動部２７２はこのバネ２７３によって上方向に付勢されている。また、可動部２７２の底面とベース部２７１の底面との間には回路基板２Ｘの上面から上方向に突出した金属製、かつＬ字状の一対の切片部２７５，２７６が配設されている。可動部２７２の下面は金属板２７７が取り付けられている。
【００９８】
回路基板２Ｘの上面には、二次電池ブロック３を取り付ける電池ホルダー３Ｘが回路基板２Ｘと対向するように取り付けられている。
【００９９】
図１１は、電池パック１ｂの外観構成図を示している。図１０に示すように電池パック１ｂは、上蓋１Ｕと下蓋１Ｄとによって覆われている。上蓋１Ｕと下蓋１Ｄの前面には、端子Ｔ１，Ｔ２、及び通信端子Ｔ５が配設されている。回路基板２Ｘは例えば下蓋１Ｄ側に取り付けられ、電池ホルダー３Ｘは上蓋１Ｕ側に取り付けられている。そして、二次電池ブロック３は、回路基板２Ｘと図略の電線により電気的に接続された後、電池ホルダー３Ｘ内に挿入され、上蓋１Ｕと下蓋１Ｄとが閉じられたとき、スイッチ２７を下方向に押す。
【０１００】
ここで、上蓋１Ｕと下蓋１Ｄとがこじ開けられると、二次電池ブロック３は上蓋１Ｕ側に取り付けられているため、電池ホルダー３Ｘと回路基板２Ｘとの距離が一定以上離れるため、電池ホルダー３Ｘとスイッチ２７とは非接触となり、図１０（ｂ）に示すように、可動部２７２は上方向にスライドし、スイッチ２７はオフされる。なお、上蓋１Ｕと下蓋１Ｄとをこじ開けても、二次電池ブロック３と回路基板２Ｘとの電気的な接続が停止されなければ、状態変化検出部２２１ｂは二次電池ブロック３からの電力によって駆動することができ、電池パック１ｂが解体されたか否かを判定することが可能となる。
【０１０１】
次に、実施の形態３による電池パック１ｂの動作について説明する。図１２は、電池パック１ｂが解体の有無を検出する際の処理を示したフローチャートである。
【０１０２】
まず、ステップＳ８１において、データ書込部２２２ｂは、上蓋１Ｕと下蓋１Ｄとがこじ開けられ、電池ホルダー３Ｘとスイッチ２７と非接触になり、スイッチ２７がオフされると（Ｓ８１でＹＥＳ）、スイッチ２７のオフ時間を計時するためのカウンタを動作させる。一方、ステップＳ８１において、スイッチ２７がオフされない場合（Ｓ８１でＮＯ）、処理がステップＳ８１に戻される。
【０１０３】
ステップＳ８２において、カウンタの値が一定の値以上となり、スイッチ２７のオフ時間が所定時間より大きくなると（ステップＳ８２でＹＥＳ）、状態変化検出部２２１ｂは、電池パック１ｂが解体されたと判定し（Ｓ８３）、記憶部２３に解体履歴データを書き込む（Ｓ８４）。一方、ステップＳ８２において、状態変化検出部２２１ｂは、スイッチ２７が所定時間経過するまでにオンすると（Ｓ８２でＮＯ）、電池パック１ｂは解体されていないと判定し、処理をステップＳ８１に戻す。ここで、状態変化検出部２２１ｂは、電池パック１ｂが解体されていないと判定したとき、カウンタをリセットする。
【０１０４】
ステップＳ８５において、操作指令判定部２２４ｂは、通信部２６が受信した外部接続装置１００からの操作指令が、解体履歴データを消去するための消去指令であるか否かを判定し、解体履歴データを消去するための消去指令であると判定した場合（Ｓ８５でＹＥＳ）、データ消去部２２５ｂは、記憶部２３から解体履歴データを消去する（Ｓ８６）。
【０１０５】
一方、ステップＳ８５において、操作指令判定部２２４ｂは、通信部２６が受信した外部接続装置１００からの操作指令が、解体履歴データを消去するための消去指令でないと判定した場合（Ｓ８５でＮＯ）、処理を終了する。
【０１０６】
図１３は、電池パック１ｂが解体履歴データの有無を判定する処理を示したフローチャートである。まず、ステップＳ９１において、状態制御部２２３は、記憶部２３に解体履歴データが書き込まれているか否かを判定し、解体履歴データが書き込まれている場合は（Ｓ９１でＹＥＳ）、通電スイッチ２１をオフし、電池パック１ｂを使用禁止状態にする（Ｓ９２）。ここで、状態制御部２２３は、電源回路４に電池パック１ｂの稼働を停止させることで、電池パック１ｂを使用禁止状態にしてもよい。
【０１０７】
一方、ステップＳ９１において、記憶部２３に解体履歴データが書き込まれていない場合は（Ｓ９１でＮＯ）、通電スイッチ２１をオンして、電池パック１ｂを使用可能状態にする（Ｓ９３）。
【０１０８】
以上説明したように、実施の形態３による電池パック１ｂによれば、電池パック１ｂが解体された場合、データ書込部２２２ｂは記憶部２３に解体履歴データを書き込む。そして、状態制御部２２３は記憶部２３に解体履歴データが書き込まれている場合は、通電スイッチ２１をオフして電池パック１ｂを使用禁止状態にする。そして、外部接続装置１００から解体履歴データを消去する消去指令が入力されたとき、データ消去部２２５ｂは、記憶部２３から解体履歴データを消去する。
【０１０９】
ここで、正規のリサイクル業者のみに、解体履歴データを消去する消去指令を教えておく。従って、正規のリサイクル業者は、電池パック１ｂを解体したときに、記憶部２３に書き込まれた解体履歴データを消去して、電池パック１ｂを出荷することができる。
【０１１０】
一方、不正なリサイクル業者は、解体履歴データを消去する消去指令を知らないため、電池パック１ｂを解体したときに、記憶部２３に書き込まれた解体履歴データを消去することができない。そのため不正なリサイクル業者によって二次電池ブロック３が交換された電池パック１ｂは、使用禁止状態で出荷されることとなる。その結果、不正なリサイクル業者により二次電池ブロック３の交換を防止することができる。
【０１１１】
なお、上記実施の形態では、電池パック１ｂが解体履歴データの存在の有無を判定していたが、外部接続装置１００が解体履歴データの存在の有無を判定してもよい。
【０１１２】
図１４は、外部接続装置１００が解体履歴データの存在の有無を判定する処理を示したフローチャートである。なお、このフローチャートが開始される前、外部接続装置１００は通電スイッチ１０２をオンしているものとする。まず、ステップＳ１０１において、通信部２６は通信端子Ｔ５の電圧の変化から外部接続装置１００が接続されているか否かを判定し、外部接続装置１００が接続されていると判定する。ステップＳ１０１において、通信部２６が外部接続装置１００と接続されていると判定した場合（Ｓ１０１でＹＥＳ）、データ書込部２２２ｂは、記憶部２３に解体履歴データが書き込まれているか否かを判定する。
【０１１３】
ステップＳ１０２において、データ書込部２２２ｂは記憶部２３に解体履歴データが書き込まれていると判定した場合（Ｓ１０２でＹＥＳ）、記憶部から解体履歴データを読み出し、通信部２６に出力し、通信部２６は解体履歴データを外部接続装置１００に送信する（Ｓ１０３）。
【０１１４】
一方、ステップＳ１０１において、通信部２６は外部接続装置１００が接続されていないと判定した場合（Ｓ１０１でＮＯ）、処理をステップＳ１０１に戻す。また、データ書込部２２２ｂは、記憶部２３に解体履歴データが書き込まれていないと判定した場合（Ｓ１０２でＮＯ）、処理を終了する。
【０１１５】
ステップＳ１１１において、外部接続装置１００の制御部１０１は、解体履歴データを受信した場合（Ｓ１１１でＹＥＳ）、通電スイッチ１０２をオフする（Ｓ１１２）。一方、制御部１０１は、履歴データを受信しなかった場合（Ｓ１１１でＮＯ）、通電スイッチ１０２を継続してオンする（Ｓ１１３）。
【０１１６】
このように、外部接続装置１００に充放電制御を行なわせることにより、電池パック１ｂを簡素化することができる。
【産業上の利用可能性】
【０１１７】
本発明によれば、不正な業者による二次電池ブロックの交換を防止することができるため、携帯電話やノートパソコン等の装置に対して有用な電池パックを提供することができる。
【図面の簡単な説明】
【０１１８】
【図１】本発明の実施の形態１による電池パックのブロック図である。
【図２】電池パックが下限電圧履歴データを書き込む処理を示したフローチャートである。
【図３】電源回路が稼働を開始するときの処理を示すフローチャートである。
【図４】外部接続装置が下限電圧履歴データの有無を判定する処理を示すフローチャートである。
【図５】実施の形態２による電池パックのブロック図である。
【図６】電池パックの稼働開始時の処理を示したフローチャートである。
【図７】電池パックが開始履歴データの有無を判定する処理を示すフローチャートである。
【図８】外部接続装置が開始履歴データの有無を判定する処理を示すフローチャートである。
【図９】実施の形態３による電池パックのブロック図である。
【図１０】スイッチを示した図面であり、（ａ）はスイッチがオンされているときを示し、（ｂ）はスイッチがオフされているときを示している。
【図１１】電池パックの外観構成図を示している。
【図１２】電池パックが解体の有無を検出する処理を示したフローチャートである。
【図１３】電池パックが解体履歴データの有無を判定する処理を示すフローチャートである。
【図１４】外部接続装置が解体履歴データの有無を判定する処理を示すフローチャートである。
【符号の説明】
【０１１９】
１Ｄ  下蓋
１Ｕ  上蓋
１，１ａ，１ｂ  電池パック
２Ｘ  回路基板
２  制御回路
３Ｘ  電池ホルダー
３  二次電池ブロック
４  電源回路
２１  通電スイッチ
２２  演算部
２２１，２２１ａ，２２１ｂ  状態変化検出部
２２２，２２２ａ，２２２ｂ  データ書込部
２２３  状態制御部
２２４，２２４ａ，２２４ｂ  操作指令判定部
２２５，２２５ａ，２２５ｂ  データ消去部
２３  記憶部
２４  電圧検出部
２５  電流検出部
２６  通信部
２７  スイッチ
３１，３２，３３  電池セル
１００  外部接続装置
１０１  制御部
１０２  通電スイッチ
１０３  入力部
２７１  ベース部
２７２  可動部
２７３  バネ
２７５，２７６  切片部
２７７  金属板
Ｔ１，Ｔ２  端子
Ｔ３，Ｔ４  端子
Ｔ５，Ｔ６  通信端子
【図１】
2007128674.tif 000003
【図２】
2007128674.tif 000004
【図３】
2007128674.tif 000005
【図４】
2007128674.tif 000006
【図５】
2007128674.tif 000007
【図６】
2007128674.tif 000008
【図７】
2007128674.tif 000009
【図８】
2007128674.tif 000010
【図９】
2007128674.tif 000011
【図１０】
2007128674.tif 000012
【図１１】
2007128674.tif 000013
【図１２】
2007128674.tif 000014
【図１３】
2007128674.tif 000015
【図１４】
2007128674.tif 000016